(57)【特許請求の範囲】
【請求項１】
溶接ワイヤの送給する方向の上流側と下流側に配置する複数の矯正ローラと、該複数の矯正ローラの間で該複数の矯正ローラと対向する位置に配置する別の矯正ローラとを備えてなる溶接ワイヤ矯正機構に、上記溶接ワイヤを通して、該溶接ワイヤの曲がり癖を矯正するようにしてある溶接ワイヤ矯正装置において、上記溶接ワイヤ矯正機構の各矯正ローラを、上記溶接ワイヤの材質よりも硬度の低い材料製とすると共に、該各矯正ローラの外周に上記溶接ワイヤを食い込ませるようにするＶ字形状の溝を設け、該Ｖ字形状の溝を、上記溶接ワイヤの径寸法の全部が収まるように、該溶接ワイヤの径寸法よりも大きい深さ寸法に形成し、更に、上記複数の矯正ローラのＶ字形状の溝に上記溶接ワイヤが食い込む位置と、上記別の矯正ローラのＶ字形状の溝に上記溶接ワイヤが食い込む位置と、が上記溶接ワイヤの送給する方向に対してずらしてあり、上記溶接ワイヤの曲がり癖を矯正する際には、上記各矯正ローラの外周に形成したＶ字形状の溝の斜面に上記溶接ワイヤをそれぞれ当接させるようにし、上記複数の矯正ローラ、又は別の矯正ローラの少なくとも一方の矯正ローラを、スライド軸に沿い移動できるようにしてある矯正ローラ取付座に回転自在に支持させると共に、該少なくとも一方の矯正ローラを、上記矯正ローラ取付座を介して上記スライド軸に沿い上記溶接ワイヤに近接、離反する方向へ変位でき、且つ固定フレームに離脱可能に係止できるようにする矯正ローラ移動機構を備え、該矯正ローラ移動機構を、上記固定フレームから離脱させたときに上記少なくとも一方の矯正ローラが上記スライド軸に沿い溶接ワイヤから離反する方向へ変位させられるようにした構成を有することを特徴とする溶接ワイヤ矯正装置。
【請求項２】
溶接ワイヤの送給する方向の上流側と下流側に配置する複数の矯正ローラと、該複数の矯正ローラの間で該複数の矯正ローラと対向する位置に配置する別の矯正ローラとを備えてなる溶接ワイヤ矯正機構に、上記溶接ワイヤを通して、該溶接ワイヤの曲がり癖を矯正するようにしてある溶接ワイヤ矯正装置において、上記別の矯正ローラの外径を、上記複数の矯正ローラの外径よりも大径とし、上記溶接ワイヤ矯正機構の各矯正ローラを、上記溶接ワイヤの材質よりも硬度の低い材料製とすると共に、該各矯正ローラの外周に上記溶接ワイヤを食い込ませるようにするＶ字形状の溝を設け、該Ｖ字形状の溝を、上記溶接ワイヤの径寸法の全部が収まるように、該溶接ワイヤの径寸法よりも大きい深さ寸法に形成し、更に、上記複数の矯正ローラのＶ字形状の溝に上記溶接ワイヤが食い込む位置と、上記別の矯正ローラのＶ字形状の溝に上記溶接ワイヤが食い込む位置と、が上記溶接ワイヤの送給する方向に対してずらしてあり、上記溶接ワイヤの曲がり癖を矯正する際には、上記各矯正ローラの外周に形成したＶ字形状の溝の斜面に上記溶接ワイヤをそれぞれ当接させるようし、上記複数の矯正ローラ、又は別の矯正ローラの少なくとも一方の矯正ローラを、スライド軸に沿い移動できるようにしてある矯正ローラ取付座に回転自在に支持させると共に、該少なくとも一方の矯正ローラを、上記矯正ローラ取付座を介して上記スライド軸に沿い上記溶接ワイヤに近接、離反する方向へ変位でき、且つ固定フレームに離脱可能に係止できるようにする矯正ローラ移動機構を備え、該矯正ローラ移動機構を、上記固定フレームから離脱させたときに上記少なくとも一方の矯正ローラが上記スライド軸に沿い溶接ワイヤから離反する方向へ変位させられるようにした構成を有することを特徴とする溶接ワイヤ矯正装置。
【請求項３】
溶接ワイヤの送給する方向の上流側と下流側に配置する複数の矯正ローラと、該複数の矯正ローラの間で該複数の矯正ローラと対向する位置に配置する別の矯正ローラとを備えてなる溶接ワイヤ矯正機構に、上記溶接ワイヤを通して、該溶接ワイヤの曲がり癖を矯正するようにしてある溶接ワイヤ矯正装置において、上記溶接ワイヤを軟質金属製とし、上記溶接ワイヤ矯正機構の各矯正ローラを、上記溶接ワイヤの材質よりも硬度の低い樹脂材料製とすると共に、該各矯正ローラの外周に上記溶接ワイヤを食い込ませるようにするＶ字形状の溝を設け、該Ｖ字形状の溝を、上記溶接ワイヤの径寸法の全部が収まるように、該溶接ワイヤの径寸法よりも大きい深さ寸法に形成し、更に、上記複数の矯正ローラのＶ字形状の溝に上記溶接ワイヤが食い込む位置と、上記別の矯正ローラのＶ字形状の溝に上記溶接ワイヤが食い込む位置と、が上記溶接ワイヤの送給する方向に対してずらしてあり、上記溶接ワイヤの曲がり癖を矯正する際には、上記各矯正ローラの外周に形成したＶ字形状の溝の斜面に上記溶接ワイヤをそれぞれ当接させるようし、上記複数の矯正ローラ、又は別の矯正ローラの少なくとも一方の矯正ローラを、スライド軸に沿い移動できるようにしてある矯正ローラ取付座に回転自在に支持させると共に、該少なくとも一方の矯正ローラを、上記矯正ローラ取付座を介して上記スライド軸に沿い上記溶接ワイヤに近接、離反する方向へ変位でき、且つ固定フレームに離脱可能に係止できるようにする矯正ローラ移動機構を備え、該矯正ローラ移動機構を、上記固定フレームから離脱させたときに上記少なくとも一方の矯正ローラが上記スライド軸に沿い溶接ワイヤから離反する方向へ変位させられるようにした構成を有することを特徴とする溶接ワイヤ矯正装置。
【請求項４】
溶接ワイヤの送給する方向の上流側と下流側に配置する複数の矯正ローラと、該複数の矯正ローラの間で該複数の矯正ローラと対向する位置に配置する別の矯正ローラとを備えてなる溶接ワイヤ矯正機構に、上記溶接ワイヤを通して、該溶接ワイヤの曲がり癖を矯正するようにしてある溶接ワイヤ矯正装置において、上記溶接ワイヤ矯正機構の溶接ワイヤ入口側と溶接ワイヤ出口側に、案内ローラをそれぞれ設けて、上記溶接ワイヤ矯正機構の各矯正ローラ、及び上記各案内ローラを、上記溶接ワイヤの材質よりも硬度の低い材料製とすると共に、上記各矯正ローラの外周、及び上記各案内ローラの外周に上記溶接ワイヤを食い込ませるようにするＶ字形状の溝を設け、該Ｖ字形状の溝を、上記溶接ワイヤの径寸法の全部が収まるように、該溶接ワイヤの径寸法よりも大きい深さ寸法に形成し、更に、上記複数の矯正ローラのＶ字形状の溝に上記溶接ワイヤが食い込む位置と、上記別の矯正ローラのＶ字形状の溝に上記溶接ワイヤが食い込む位置と、が上記溶接ワイヤの送給する方向に対してずらしてあり、上記溶接ワイヤの曲がり癖を矯正する際には、上記各矯正ローラの外周に形成したＶ字形状の溝の斜面に上記溶接ワイヤをそれぞれ当接させるようし、上記複数の矯正ローラ、又は別の矯正ローラの少なくとも一方の矯正ローラを、スライド軸に沿い移動できるようにしてある矯正ローラ取付座に回転自在に支持させると共に、該少なくとも一方の矯正ローラを、上記矯正ローラ取付座を介して上記スライド軸に沿い上記溶接ワイヤに近接、離反する方向へ変位でき、且つ固定フレームに離脱可能に係止できるようにする矯正ローラ移動機構を備え、該矯正ローラ移動機構を、上記固定フレームから離脱させたときに上記少なくとも一方の矯正ローラが上記スライド軸に沿い溶接ワイヤから離反する方向へ変位させられるようにした構成を有することを特徴とする溶接ワイヤ矯正装置。
【請求項５】
溶接ワイヤの送給する方向の上流側と下流側に配置する複数の矯正ローラと、該複数の矯正ローラの間で該複数の矯正ローラと対向する位置に配置する別の矯正ローラとを備えてなる溶接ワイヤ矯正機構に、上記溶接ワイヤを通して、該溶接ワイヤの曲がり癖を矯正するようにしてある溶接ワイヤ矯正装置において、上記溶接ワイヤ矯正機構の溶接ワイヤ入口側と溶接ワイヤ出口側に、案内ローラをそれぞれ設けて、上記溶接ワイヤを軟質金属製とし、上記溶接ワイヤ矯正機構の各矯正ローラ、及び上記各案内ローラを、上記溶接ワイヤの材質よりも硬度の低い樹脂材料製とすると共に、上記各矯正ローラの外周、及び上記各案内ローラの外周に上記溶接ワイヤを食い込ませるようにするＶ字形状の溝を設け、該Ｖ字形状の溝を、上記溶接ワイヤの径寸法の全部が収まるように、該溶接ワイヤの径寸法よりも大きい深さ寸法に形成し、更に、上記複数の矯正ローラのＶ字形状の溝に上記溶接ワイヤが食い込む位置と、上記別の矯正ローラのＶ字形状の溝に上記溶接ワイヤが食い込む位置と、が上記溶接ワイヤの送給する方向に対してずらしてあり、上記溶接ワイヤの曲がり癖を矯正する際には、上記各矯正ローラの外周に形成したＶ字形状の溝の斜面に上記溶接ワイヤをそれぞれ当接させるようし、上記複数の矯正ローラ、又は別の矯正ローラの少なくとも一方の矯正ローラを、スライド軸に沿い移動できるようにしてある矯正ローラ取付座に回転自在に支持させると共に、該少なくとも一方の矯正ローラを、上記矯正ローラ取付座を介して上記スライド軸に沿い上記溶接ワイヤに近接、離反する方向へ変位でき、且つ固定フレームに離脱可能に係止できるようにする矯正ローラ移動機構を備え、該矯正ローラ移動機構を、上記固定フレームから離脱させたときに上記少なくとも一方の矯正ローラが上記スライド軸に沿い溶接ワイヤから離反する方向へ変位させられるようにした構成を有することを特徴とする溶接ワイヤ矯正装置。
【発明の詳細な説明】
【技術分野】
【０００１】
本発明は、溶接ワイヤの曲り癖を矯正するために用いる溶接ワイヤ矯正装置に関するものである。
【背景技術】
【０００２】
近年、ワイヤスプール、ペールパックなどに巻かれて収納されている溶接ワイヤを溶接トーチに供給する前に、溶接ワイヤの曲り癖を矯正して、溶接トーチ先端での溶接ワイヤの振れを防止することが行われている。
【０００３】
このような溶接ワイヤの曲り癖を矯正する矯正装置としては、たとえば、ペールパックに収納された溶接ワイヤを、コンジットチューブ内を通した後、同径の５個の矯正ローラを溶接ワイヤ送給経路に沿って上下にジグザグ状に配置してなる矯正ローラ組に送って、該矯正ローラ組で上記溶接ワイヤを一旦直線状に矯正し、更に、上記矯正ローラ組の下流側に配置された巻付けローラに上記溶接ワイヤを巻き付けることにより一定曲率の曲り癖を与えて、該溶接ワイヤを溶接トーチに送るようにしたものがある（たとえば特許文献１参照）。
【０００４】
又、従来の溶接ワイヤ矯正装置の他の例としては、ガイドチューブ、ガイド装置を介してワイヤリールから送られる溶接ワイヤを、溶接ワイヤ送給経路に沿って所定の間隔で配置される第１と第２の２つの受けローラと該受けローラ間に配置される成形ローラとからなる曲げローラ組で一旦所定の曲率に変形させた後、上記成形ローラと該成形ローラの下流側に配置される第２の受けローラと該第２の受けローラに対向して配置される加圧ローラとからなる矯正ローラ組により、上記溶接ワイヤを上記曲げローラ組による曲げ方向と反対方向に曲げて直線状に矯正して、該溶接ワイヤを溶接トーチに送るようにしたものがある（たとえば特許文献２参照）。
【先行技術文献】
【特許文献】
【０００５】
【特許文献１】特開平９−２７７０４７号公報
【特許文献２】特許第３２３２６０７号公報
【発明の概要】
【発明が解決しようとする課題】
【０００６】
ところが、上記特許文献１，特許文献２に記載された如き溶接ワイヤ矯正装置では、一般的に、溶接ワイヤの曲がり癖を矯正するのに用いるローラを鉄鋼材製としているため、溶接ワイヤの曲がり癖を矯正する際に、該溶接ワイヤが上記ローラに擦れて溶接ワイヤの削り屑が発生し、この溶接ワイヤの削り屑がワイヤスプールに溜まることで溶接ができなくなるという問題がある。特に、溶接ワイヤがアルミニウムなどの軟質金属製の場合には、該溶接ワイヤと上記ローラとの間の擦れ、及び、溶接ワイヤ矯正装置の上流側、下流側に配置される送給チューブと上記溶接ワイヤとの間の擦れにより、溶接ワイヤが磨耗して、溶接ワイヤの削り屑が大量に発生してしまうことがある。
【０００７】
ところで、上記溶接ワイヤの曲がり癖を矯正するのに用いるローラを、溶接ワイヤよりも硬度の低い材質、たとえば、樹脂材料製にして、溶接ワイヤの曲がり癖を矯正する際に生じる溶接ワイヤの削り屑の量を減らすことが考えられる。しかし、上記ローラの外周に設けられる溝は、上記ローラと溶接ワイヤとの間の擦れにより生じる磨耗を避けるため、曲率の大きな円弧形状とすることが技術常識となっており、単に上記ローラを樹脂材料製にした場合には、溶接ワイヤの曲がり癖を矯正する際に溶接ワイヤが横滑りを起こして、溶接ワイヤの曲がり癖の矯正を正常に行うことができない。このため、溶接ワイヤの曲がり癖を矯正するのに用いるローラを、溶接ワイヤよりも硬度の低い樹脂材料製とすることは実現できていなかった。
【０００８】
そこで、本発明は、矯正ローラに溶接ワイヤが擦れることにより発生する溶接ワイヤの削り屑の量を低減できるようにした溶接ワイヤ矯正装置を提供しようとするものである。
【課題を解決するための手段】
【０００９】
本発明は、上記課題を解決するために、請求項１に対応して、溶接ワイヤの送給する方向の上流側と下流側に配置する複数の矯正ローラと、該複数の矯正ローラの間で該複数の矯正ローラと対向する位置に配置する別の矯正ローラとを備えてなる溶接ワイヤ矯正機構に、上記溶接ワイヤを通して、該溶接ワイヤの曲がり癖を矯正するようにしてある溶接ワイヤ矯正装置において、上記溶接ワイヤ矯正機構の各矯正ローラを、上記溶接ワイヤの材質よりも硬度の低い材料製とすると共に、該各矯正ローラの外周に上記溶接ワイヤを食い込ませるようにするＶ字形状の溝を設け、該Ｖ字形状の溝を、上記溶接ワイヤの径寸法の全部が収まるように、該溶接ワイヤの径寸法よりも大きい深さ寸法に形成し、更に、上記複数の矯正ローラのＶ字形状の溝に上記溶接ワイヤが食い込む位置と、上記別の矯正ローラのＶ字形状の溝に上記溶接ワイヤが食い込む位置と、が上記溶接ワイヤの送給する方向に対してずらしてあり、上記溶接ワイヤの曲がり癖を矯正する際には、上記各矯正ローラの外周に形成したＶ字形状の溝の斜面に上記溶接ワイヤをそれぞれ当接させるようにし、上記複数の矯正ローラ、又は別の矯正ローラの少なくとも一方の矯正ローラを、スライド軸に沿い移動できるようにしてある矯正ローラ取付座に回転自在に支持させると共に、該少なくとも一方の矯正ローラを、上記矯正ローラ取付座を介して上記スライド軸に沿い上記溶接ワイヤに近接、離反する方向へ変位でき、且つ固定フレームに離脱可能に係止できるようにする矯正ローラ移動機構を備え、該矯正ローラ移動機構を、上記固定フレームから離脱させたときに上記少なくとも一方の矯正ローラが上記スライド軸に沿い溶接ワイヤから離反する方向へ変位させられるようにした構成とする。
【００１０】
又、本発明は、溶接ワイヤの送給する方向の上流側と下流側に配置する複数の矯正ローラと、該複数の矯正ローラの間で該複数の矯正ローラと対向する位置に配置する別の矯正ローラとを備えてなる溶接ワイヤ矯正機構に、上記溶接ワイヤを通して、該溶接ワイヤの曲がり癖を矯正するようにしてある溶接ワイヤ矯正装置において、上記別の矯正ローラの外径を、上記複数の矯正ローラの外径よりも大径とし、上記溶接ワイヤ矯正機構の各矯正ローラを、上記溶接ワイヤの材質よりも硬度の低い材料製とすると共に、該各矯正ローラの外周に上記溶接ワイヤを食い込ませるようにするＶ字形状の溝を設け、該Ｖ字形状の溝を、上記溶接ワイヤの径寸法の全部が収まるように、該溶接ワイヤの径寸法よりも大きい深さ寸法に形成し、更に、上記複数の矯正ローラのＶ字形状の溝に上記溶接ワイヤが食い込む位置と、上記別の矯正ローラのＶ字形状の溝に上記溶接ワイヤが食い込む位置と、が上記溶接ワイヤの送給する方向に対してずらしてあり、上記溶接ワイヤの曲がり癖を矯正する際には、上記各矯正ローラの外周に形成したＶ字形状の溝の斜面に上記溶接ワイヤをそれぞれ当接させるようし、上記複数の矯正ローラ、又は別の矯正ローラの少なくとも一方の矯正ローラを、スライド軸に沿い移動できるようにしてある矯正ローラ取付座に回転自在に支持させると共に、該少なくとも一方の矯正ローラを、上記矯正ローラ取付座を介して上記スライド軸に沿い上記溶接ワイヤに近接、離反する方向へ変位でき、且つ固定フレームに離脱可能に係止できるようにする矯正ローラ移動機構を備え、該矯正ローラ移動機構を、上記固定フレームから離脱させたときに上記少なくとも一方の矯正ローラが上記スライド軸に沿い溶接ワイヤから離反する方向へ変位させられるようにした構成とする。
【００１１】
更に、本発明は、溶接ワイヤの送給する方向の上流側と下流側に配置する複数の矯正ローラと、該複数の矯正ローラの間で該複数の矯正ローラと対向する位置に配置する別の矯正ローラとを備えてなる溶接ワイヤ矯正機構に、上記溶接ワイヤを通して、該溶接ワイヤの曲がり癖を矯正するようにしてある溶接ワイヤ矯正装置において、上記溶接ワイヤを軟質金属製とし、上記溶接ワイヤ矯正機構の各矯正ローラを、上記溶接ワイヤの材質よりも硬度の低い樹脂材料製とすると共に、該各矯正ローラの外周に上記溶接ワイヤを食い込ませるようにするＶ字形状の溝を設け、該Ｖ字形状の溝を、上記溶接ワイヤの径寸法の全部が収まるように、該溶接ワイヤの径寸法よりも大きい深さ寸法に形成し、更に、上記複数の矯正ローラのＶ字形状の溝に上記溶接ワイヤが食い込む位置と、上記別の矯正ローラのＶ字形状の溝に上記溶接ワイヤが食い込む位置と、が上記溶接ワイヤの送給する方向に対してずらしてあり、上記溶接ワイヤの曲がり癖を矯正する際には、上記各矯正ローラの外周に形成したＶ字形状の溝の斜面に上記溶接ワイヤをそれぞれ当接させるようし、上記複数の矯正ローラ、又は別の矯正ローラの少なくとも一方の矯正ローラを、スライド軸に沿い移動できるようにしてある矯正ローラ取付座に回転自在に支持させると共に、該少なくとも一方の矯正ローラを、上記矯正ローラ取付座を介して上記スライド軸に沿い上記溶接ワイヤに近接、離反する方向へ変位でき、且つ固定フレームに離脱可能に係止できるようにする矯正ローラ移動機構を備え、該矯正ローラ移動機構を、上記固定フレームから離脱させたときに上記少なくとも一方の矯正ローラが上記スライド軸に沿い溶接ワイヤから離反する方向へ変位させられるようにした構成とする。
【００１２】
更に又、本発明は、溶接ワイヤの送給する方向の上流側と下流側に配置する複数の矯正ローラと、該複数の矯正ローラの間で該複数の矯正ローラと対向する位置に配置する別の矯正ローラとを備えてなる溶接ワイヤ矯正機構に、上記溶接ワイヤを通して、該溶接ワイヤの曲がり癖を矯正するようにしてある溶接ワイヤ矯正装置において、上記溶接ワイヤ矯正機構の溶接ワイヤ入口側と溶接ワイヤ出口側に、案内ローラをそれぞれ設けて、上記溶接ワイヤ矯正機構の各矯正ローラ、及び上記各案内ローラを、上記溶接ワイヤの材質よりも硬度の低い材料製とすると共に、上記各矯正ローラの外周、及び上記各案内ローラの外周に上記溶接ワイヤを食い込ませるようにするＶ字形状の溝を設け、該Ｖ字形状の溝を、上記溶接ワイヤの径寸法の全部が収まるように、該溶接ワイヤの径寸法よりも大きい深さ寸法に形成し、更に、上記複数の矯正ローラのＶ字形状の溝に上記溶接ワイヤが食い込む位置と、上記別の矯正ローラのＶ字形状の溝に上記溶接ワイヤが食い込む位置と、が上記溶接ワイヤの送給する方向に対してずらしてあり、上記溶接ワイヤの曲がり癖を矯正する際には、上記各矯正ローラの外周に形成したＶ字形状の溝の斜面に上記溶接ワイヤをそれぞれ当接させるようし、上記複数の矯正ローラ、又は別の矯正ローラの少なくとも一方の矯正ローラを、スライド軸に沿い移動できるようにしてある矯正ローラ取付座に回転自在に支持させると共に、該少なくとも一方の矯正ローラを、上記矯正ローラ取付座を介して上記スライド軸に沿い上記溶接ワイヤに近接、離反する方向へ変位でき、且つ固定フレームに離脱可能に係止できるようにする矯正ローラ移動機構を備え、該矯正ローラ移動機構を、上記固定フレームから離脱させたときに上記少なくとも一方の矯正ローラが上記スライド軸に沿い溶接ワイヤから離反する方向へ変位させられるようにした構成とする。
【００１３】
又、本発明は、溶接ワイヤの送給する方向の上流側と下流側に配置する複数の矯正ローラと、該複数の矯正ローラの間で該複数の矯正ローラと対向する位置に配置する別の矯正ローラとを備えてなる溶接ワイヤ矯正機構に、上記溶接ワイヤを通して、該溶接ワイヤの曲がり癖を矯正するようにしてある溶接ワイヤ矯正装置において、上記溶接ワイヤ矯正機構の溶接ワイヤ入口側と溶接ワイヤ出口側に、案内ローラをそれぞれ設けて、上記溶接ワイヤを軟質金属製とし、上記溶接ワイヤ矯正機構の各矯正ローラ、及び上記各案内ローラを、上記溶接ワイヤの材質よりも硬度の低い樹脂材料製とすると共に、上記各矯正ローラの外周、及び上記各案内ローラの外周に上記溶接ワイヤを食い込ませるようにするＶ字形状の溝を設け、該Ｖ字形状の溝を、上記溶接ワイヤの径寸法の全部が収まるように、該溶接ワイヤの径寸法よりも大きい深さ寸法に形成し、更に、上記複数の矯正ローラのＶ字形状の溝に上記溶接ワイヤが食い込む位置と、上記別の矯正ローラのＶ字形状の溝に上記溶接ワイヤが食い込む位置と、が上記溶接ワイヤの送給する方向に対してずらしてあり、上記溶接ワイヤの曲がり癖を矯正する際には、上記各矯正ローラの外周に形成したＶ字形状の溝の斜面に上記溶接ワイヤをそれぞれ当接させるようし、上記複数の矯正ローラ、又は別の矯正ローラの少なくとも一方の矯正ローラを、スライド軸に沿い移動できるようにしてある矯正ローラ取付座に回転自在に支持させると共に、該少なくとも一方の矯正ローラを、上記矯正ローラ取付座を介して上記スライド軸に沿い上記溶接ワイヤに近接、離反する方向へ変位でき、且つ固定フレームに離脱可能に係止できるようにする矯正ローラ移動機構を備え、該矯正ローラ移動機構を、上記固定フレームから離脱させたときに上記少なくとも一方の矯正ローラが上記スライド軸に沿い溶接ワイヤから離反する方向へ変位させられるようにした構成とする。
【発明の効果】
【００１５】
本発明のような溶接ワイヤ矯正装置としてあるので、各矯正ローラに溶接ワイヤが擦れることにより生じる溶接ワイヤの磨耗を原理的にゼロにすることができる。よって、溶接ワイヤの削り屑の発生を劇的に低減することができ、溶接ワイヤの削り屑がワイヤスプールに詰まることによる溶接不能を防止することができる。又、溶接ワイヤを各矯正ローラのＶ字形状の溝に当接させるようにしてあるので、各矯正ローラが、たとえば、樹脂材料製であったとしても、溶接ワイヤに曲がり癖を直す矯正力を与える際に溶接ワイヤが横滑りを起こして、溶接ワイヤがうねったり、蛇行したりしてしまうのを防止することができ、更に、溶接ワイヤが捩れてしまうのを防止することができる。よって、溶接ワイヤの曲がり癖を正常に治すことができる。
【図面の簡単な説明】
【００１６】
【図１】本発明の溶接ワイヤ矯正装置の実施の一形態を示す概略正面図である。
【図２】（イ）は図１のＡ−Ａ方向概略切断側面図、（ロ）は（イ）のＸ部拡大図である。
【図３】図１の概略平面図である。
【図４】（イ）は図１のＢ−Ｂ方向概略側面図、（ロ）は（イ）のＹ部拡大図である。
【図５】図２（イ）の状態から、大径矯正ローラを溶接ワイヤから離反する方向へ変位させた状態を示す概略側面図である。
【発明を実施するための形態】
【００１７】
以下、本発明を実施するための形態を図面を参照して説明する。
【００１８】
図１乃至図５は本発明の実施の一形態を示すもので、図示しないワイヤスプール等から引き出されて図示しない送給ホース内を通された二点鎖線で示すアルミニウムの如き軟質金属製の溶接ワイヤ１を溶接トーチへ送給する途中の位置に、該溶接ワイヤ１の曲り癖を矯正するための本発明の溶接ワイヤ矯正装置を設置する。
【００１９】
本発明の溶接ワイヤ矯正装置は、溶接ワイヤ１に逆歪を与えるようにする大径の１つの矯正ローラ（大径矯正ローラ）２と、該大径矯正ローラ２で溶接ワイヤ１に逆歪を与えるときの反力を受ける小径（大径矯正ローラよりも小径）の２つの矯正ローラ３ａ，３ｂとを備えてなり、上記大径矯正ローラ２と２つの小径矯正ローラ３ａ，３ｂとの間で溶接ワイヤ１の曲り癖を矯正するようにする溶接ワイヤ矯正機構４と、該溶接ワイヤ矯正機構４の入口側と出口側で溶接ワイヤ１の位置を安定させると共にワイヤ供給ホースとの擦れを低減させるための小径の２つの案内ローラ５，６を備える。更に、上記各矯正ローラ２，３ａ，３ｂ及び案内ローラの５，６の材質は、溶接ワイヤの材質であるアルミニウムの如き軟質金属より硬度が低い材質、たとえば、ポリアセタールの如き樹脂材料製を採用するようにすると共に、溶接ワイヤ１の矯正時に該溶接ワイヤ１を食い込ませて逃がさないように上記２，３ａ，３ｂ及び案内ローラの５，６の外周にＶ字形状の溝１２，１５，２７をそれぞれ形成し、上記溶接ワイヤ矯正機構４の大径矯正ローラ２を、溶接ワイヤ１の送給路を挟んで２つの小径矯正ローラ３ａ，３ｂに近接、離反する方向に進退動作させるようにする矯正ローラ移動機構１０を備えた構成とする。
【００２０】
詳述すると、上記１つの大径矯正ローラ２と、２つの小径矯正ローラ３ａ，３ｂと、２つの案内ローラ５，６の５個のローラは、上記した如く、アルミニウムの如き軟質金属製とした溶接ワイヤ１に対して、かかる溶接ワイヤ１の材質より硬度が低い樹脂材料（たとえば、ポリアセタール）を、材質として使用するようにし、且つ上記１つの大径矯正ローラ２と、２つの小径矯正ローラ３ａ，３ｂと、２つの案内ローラ５，６の各外周面に形成する溶接ワイヤ案内用の溝を、Ｖ字形状の溝１２，１５，２７とし、上記各ローラ２，３ａ，３ｂ，５，６の外周面に沿わされる溶接ワイヤ１を、ワイヤ矯正時に各々Ｖ字形状の溝１２，１５，２７に食い込ませて、溶接ワイヤ１が回転して戻ろうとする動きを抑えて溶接ワイヤ１を逃がさないようにする。
【００２１】
上記２つの小径矯正ローラ３ａ，３ｂは、図２（イ）、図３に示す如く、該小径矯正ローラ３ａ，３ｂの内側に嵌合させた図示してない軸受けの内側に嵌合させたスライドブッシュ１３を介して上記ローラ取付用フレーム８の外側に水平方向に突出させて取り付けたボルト１４に嵌合させて取り付けるようにしてあり、該ボルト１４の軸心を中心に回転自在にしてある共に上記ボルト１４の頭部１４ａと上記ローラ取付用フレーム８との間でボルト１４の軸方向に移動（変位）できるようにしてある。
【００２２】
又、上記矯正ローラ取付座１１に取り付ける大径矯正ローラ２は、図２（イ）、図３に示す如く、図示してない軸受けの内側に嵌合させたスライドブッシュ１６を介して上記矯正ローラ取付座１１の外側（係止用フレーム７が突出してない側）に水平方向に取り付けたボルト１７に嵌合させて取り付けてあり、該ボルト１７の軸心を中心に回転自在にしてある共に上記ボルト１７の頭部１７ａと上記矯正ローラ取付座１１との間でボルト１７の軸方向に移動（変位）できるようにしてある。
【００２３】
一方、上記溶接ワイヤ矯正機構４の入口側及び出口側の各案内ローラ５と６は、図１、図４（イ）（ロ）に示す如く、ローラ取付用フレーム８の溶接ワイヤ送給方向に延びる両端部の外側に水平方向に突出させて取り付けられた各ボルト２９に、図示してない軸受けの内側に嵌合させたスライドブッシュ２８を介して嵌合させて取り付けてあり、各ボルト２９の軸心を中心に回転自在で、且つ上記ボルト２９の頭部２９ａとローラ取付用フレーム８との間でボルト２９の軸方向に移動（変位）できるようにしてある。
【００２４】
上記溶接ワイヤ矯正機構４は、水平板状の係止用フレーム７と、該係止用フレーム７の一端側（前端側）に上端部を取り付けて横方向（ワイヤ送給方向と平行な方向）に長くした垂直板状のローラ取付用フレーム８とからなる固定フレーム９における上記ローラ取付用フレーム８に、２つの矯正ローラ３ａ，３ｂを、該ローラ取付用フレーム８の長手方向、すなわち、該溶接ワイヤ１の送給方向（矢印の方向）に所要間隔を隔ててそれぞれ回転自在に取り付けるようにすると共に、該２つの矯正ローラ３ａ，３ｂとの間の位置の下方位置に、１つの大径の矯正ローラ２を、上記係止用フレーム７に上端をナットで締結させて垂下させた２本のスライド軸１８に沿い昇降できるようにしてある矯正ローラ取付座１１に回転自在に取り付けるようにした構成としてある。上記矯正ローラ取付座１１は、スライド部材１９の端面（ワイヤ送給路側端面）に固定してあり、該スライド部材１９は、上記係止用フレーム７に上端部を取り付けてローラ取付用フレーム８と平行に垂下されている上記２本の平行配置のスライド軸１８に下端部が遊嵌されており、該スライド部材１９とともに矯正ローラ取付座１１が２本のスライド軸１８に沿い昇降することにより、大径の矯正ローラ２が上方の２つの矯正ローラ３ａ，３ｂに対し近接、離反する方向である上下方向に移動できるようにしてある。
【００２５】
更に、上記矯正ローラ移動機構１０は、係止用フレーム７の中央部分の他端側に開口させた切欠部７ａに挿入させるようにした目盛付き調整ねじ２４と、該調整ねじ２４の上端部に螺合させて下端面を係止用フレーム７の上面に係止させるようにすると共に、調整ねじ２４の調整ねじ支持部材２６と係止用フレーム７との間における長さを調整できるようにする調整用つまみ２５と、上記調整ねじ２４の下端部に上端部を螺着させた調整ねじ支持部材２６の下端部を、一端側に矯正ローラ取付座１１を取り付けた上記スライド部材１９他端部にヒンジ軸２０で上下方向に回動可能に連結してなる屈伸式操作ロッド２１と、上記２本のスライド軸１８と、該２本のスライド軸１８の外側に配置して係止用フレーム７の下面とスライド部材１９の上端面との間に圧縮して介装させた弾性構造体としてのばね２２と、係止用フレーム７の切欠部７ａの片側に沿うように他端側へ張り出させたガイド部材２３とからなる構成としてある。これにより、調整ねじ２４の長さを目盛を見ながら調整して操作ロッド２１をヒンジ軸２０で屈曲させ、調整ねじ２４を係止用フレーム７の切欠部７ａに挿入させて、調整用つまみ２５を係止用フレーム７に係止させるようにすれば、ばね２２の弾性力に打ち勝って調整ねじ支持部材２６、スライド部材１９を介し、矯正ローラ取付座１１がスライド軸１８に沿い上昇させられて、大径の矯正ローラ２が２つの矯正ローラ３ａ，３ｂに近接させられるようにしてある。又、調整用つまみ２５を引き上げるようにして係止用フレーム７の切欠部７ａに沿い倒して係止用フレーム７から離脱させるようにすることにより、スライド軸１８の外側のばね２２の弾性力により大径の矯正ローラ２が２つの矯正ローラ３ａ，３ｂから離反するようにしてある。
【００２６】
なお、図中３０はスライド軸１８の下端に設けたストッパーである。
【００２７】
かかる構成の溶接ワイヤ矯正装置を用いてアルミニウムの如き軟質金属製の溶接ワイヤ１の曲がり癖を矯正する場合、まず、図示しないワイヤスプール等から引き出されて図示しない送給ホース内を通された溶接ワイヤ１を、入口側の樹脂材料製案内ローラ５のＶ字形状の溝２７の斜面と、樹脂材料製の小径矯正ローラ３ａと３ｂのＶ字形状の溝１５の斜面と、出口側の樹脂材料製案内ローラ６のＶ字形状の溝２７の斜面にそれぞれ当接させて通した後、該溶接ワイヤ１を、出口側の案内ローラ６の下流側に配置される図示しない送給ホース内を通して図示しない溶接トーチに導くようにする。次に、図５に示す如く、固定フレーム９の係止用フレーム７から離脱させた状態にある操作ロッド２１を、ヒンジ軸２０を中心に回動させて、該操作ロッド２１の調整用つまみ２５をガイド部材２３に沿わせて移動させながらばね２２の弾性力に抗してスライド軸１８を引き上げ、調整ねじ２４を係止用フレーム７の切欠部７ａ内に挿入し、図２（イ）に示す如く、調整用つまみ２５を係止用フレーム７に係止させる。この際、調整ねじ支持部材２６は上記調整ねじ２４を介して調整用つまみ２５と一体的に引き上げられるので、スライド部材１９と矯正ローラ取付座１１を介して大径矯正ローラ２は２つの小径矯正ローラ３ａ，３ｂに近接する方向、すなわち、溶接ワイヤ１に近接する方向へ変位させられて、大径矯正ローラ２のＶ字形状の溝１２の斜面が上記溶接ワイヤ１に当接する。これにより、溶接ワイヤ１に曲がり癖を直す矯正力が加えられることになる。次いで、図示してない溶接ワイヤ送給装置を駆動させることにより、ワイヤスプール等から引き出されて送給ホース内を通された溶接ワイヤ１を、入口側の案内ローラ５を介して溶接ワイヤ矯正機構４に送給して、溶接ワイヤ１の曲がり癖を連続的に矯正し、しかる後、該矯正された溶接ワイヤ１を、出口側の案内ローラ６を介して図示しない送給ホース内に通すようにする。
【００２８】
上記において、本発明の溶接ワイヤ矯正装置は、溶接ワイヤ矯正機構４の各矯正ローラ２，３ａ，３ｂを溶接ワイヤ１よりも硬度の低い樹脂材料製とすると共に、上記各矯正ローラ２，３ａ，３ｂの外周に上記溶接ワイヤ１を当接させるための２つの斜面を備えるＶ字形状の溝１２，１５をそれぞれ設けるようにした構成としてあるので、各矯正ローラ２，３ａ，３ｂに溶接ワイヤ１が擦れることにより生じる溶接ワイヤ１の磨耗を原理的にゼロにすることができる。よって、溶接ワイヤ１の削り屑の発生を劇的に低減することができ、溶接ワイヤ１の削り屑がワイヤスプールに詰まることによる溶接不能を防止することができる。又、溶接ワイヤ１を各矯正ローラ２，３ａ，３ｂのＶ字形状の溝１２，１５の２つの斜面に当接させるようにしてあるので、各矯正ローラ２，３ａ，３ｂが樹脂材料製であったとしても、溶接ワイヤ１に曲がり癖を直す矯正力を与える際に溶接ワイヤ１をＶ字形状の溝１２，１５にそれぞれ食い込ませることができて、該溶接ワイヤ１が横滑りを起こして、溶接ワイヤ１がうねったり、蛇行したりすることを防止することができ、更に、溶接ワイヤ１が捩れてしまうのを防止することができる。よって、溶接ワイヤ１の曲がり癖を正常に治すことができる。
【００２９】
又、溶接ワイヤ矯正機構４を、２つの矯正ローラ３ａ，３ｂと、該２つの矯正ローラ３ａ，３ｂよりも大径の矯正ローラ２とからなる構成としてあるので、全ての矯正ローラを同径にしていた場合に比して、溶接ワイヤ１と大径矯正ローラ２との間の接触面圧を小さくすることができ、溶接ワイヤ１の擦れをより少なくすることができる。よって、溶接ワイヤ１の削り屑の発生をより低減することができる。
【００３０】
更に、溶接ワイヤ矯正機構４の上流側及び下流側に案内ローラ５，６を設けて、該各案内ローラ５，６を溶接ワイヤ１よりも硬度の低い樹脂材料製とすると共に、該各案内ローラ５，６の外周に上記溶接ワイヤ１を当接させるための２つの斜面を備えるＶ字形状の溝２７を設けるようにした構成としてあるので、各案内ローラ５，６に溶接ワイヤ１が擦れることにより生じる溶接ワイヤ１の削り屑の発生を低減することができる。又、上記各案内ローラ５，６により溶接ワイヤ１の走行軌道を安定化させるようにしてあるので、本発明の溶接ワイヤ矯正装置の上流側と下流側に配置される図示しない送給ホースと溶接ワイヤ１との間の擦れによる溶接ワイヤ１の削り屑の発生を低減することができる。
【００３１】
更に又、矯正ローラ移動機構１０を、固定フレーム９の係止用フレーム７に上端部を取り付けたスライド軸１８と、一端部に上記矯正ローラ取付座１１を取り付けると共に上記スライド軸１８を遊嵌して上記矯正ローラ取付座１１と一体にスライド軸１８に沿って溶接ワイヤ１に近接、離反する方向へ変位するスライド部材１９と、該スライド部材１９の他端部に一端部をヒンジ軸２０を介して回動自在に取り付けると共に他端部を上記固定フレーム９の係止用フレーム７に離脱可能に係止する操作ロッド２１と、上記スライド軸１８の外周側に同心状に配置して上記係止用フレーム７とスライド部材１９との間に圧縮して介装させたばね２２を備えた構成としてあるので、操作ロッド２１をヒンジ軸２０を中心に回動させて係止用フレーム７に対する係止の解除を行うだけで、ばね２２の弾性力により大径矯正ローラ２を溶接ワイヤ１から離反する方向に変位させることができる。又、操作ロッド２１を回動させて係止用フレーム７に係止させるだけで、大径矯正ローラ２を溶接ワイヤ１に近接する方向に変位させられ、大径矯正ローラ２を元の設置位置に戻すことができる。よって、大径矯正ローラ２の位置再現性を確保することができるので、溶接ワイヤ１の交換の前後で溶接ワイヤ１に加える矯正力が変化することはなく、溶接ワイヤ１の交換の前後に亘って溶接ワイヤ１の削り屑の量を低減した状態を容易に維持することができる。
【００３２】
又、大径矯正ローラ２を、矯正ローラ取付座１１に取り付けたボルト１７の軸方向に移動自在に取り付けると共に、各小径矯正ローラ３ａ，３ｂ、各案内ローラ５，６を、固定フレーム９のローラ取付用フレーム８に取り付けたボルト１７，２９の軸方向に移動自在に取り付けるようにした構成としてあるので、本発明のワイヤ矯正装置に送給される溶接ワイヤ１が蛇行していたとしても、上記各矯正ローラ２，３ａ，３ｂ及び各案内ローラ５，６を溶接ワイヤ１の蛇行に対応させて移動させることができる。よって、蛇行する溶接ワイヤ１の曲り癖を確実に矯正すことができる。
【００３３】
なお、上記実施の形態では、一例として、溶接ワイヤ１をアルミニウムの如き軟質金属製として説明してあるが、これに限られるものではなく、溶接ワイヤ１の材質は、硬度に関しては樹脂材料製のローラよりも硬度が高ければ如何なる材質のものであってもよい。
【００３４】
又、上記各矯正ローラ２，３ａ，３ｂのＶ字形状の溝１２，１５及び各案内ローラ５，６のＶ字形状の溝２７を、それぞれＶ字形状として２つの斜面を備えるものとして、該斜面に溶接ワイヤ１を当接させるようにした場合について説明したが、２つの斜面をそれぞれ複数段の斜面とすることにより溶接ワイヤ１に対する接触面の数を増やして、該複数段とした斜面にそれぞれ溶接ワイヤ１を当接させるようにしてもよい。
【００３５】
大径矯正ローラ２を溶接ワイヤ１に対して近接、離反するように変位可能にした場合について説明したが、矯正ローラ移動機構１０と同様な機構を小径矯正ローラ３ａ，３ｂ側に用いるようにして、大径矯正ローラ２を固定させるようにしたり、小径矯正ローラ３ａ，３ｂ側と大径矯正ローラ２側の双方に矯正ローラ移動機構１０と同様な機構を用いるようにしてもよい。
【００３６】
溶接ワイヤ矯正機構４を、大径矯正ローラ２と２つの小径矯正ローラ３ａ，３ｂとの組み合わせとした場合について説明したが、各矯正ローラ２，３ａ，３ｂの個数を適宜増減した構成のものとしてもよい。
【００３７】
各矯正ローラ２，３ａ，３ｂ、各案内ローラ５，６を、スライドブッシュ１３，１６，２８を介してそれぞれ取り付けることにより、ボルト１４，１７，２９の軸方向に移動できるようにした場合について示したが、これに限定されるものではなく、同様の動作が行えるものであれば、他の手段を採用するようにしてもよいこと、その他本発明の要旨を逸脱しない範囲内において種々変更を加え得ることは勿論である。
【符号の説明】
【００３８】
１  溶接ワイヤ
２  大径矯正ローラ（別の矯正ローラ）
３ａ，３ｂ  小径矯正ローラ（複数の矯正ローラ）
４  溶接ワイヤ矯正機構
５，６  案内ローラ
９  固定フレーム
１０  矯正ローラ移動機構
１１  矯正ローラ取付座
１２  Ｖ字形状の溝
１５  Ｖ字形状の溝
２７  Ｖ字形状の溝
【図１】
0005740910.tif 000002
【図２】
0005740910.tif 000003
【図３】
0005740910.tif 000004
【図４】
0005740910.tif 000005
【図５】
0005740910.tif 000006